(57)【要約】【課題】金融機関の窓口における両替取引との間で、両替機による両替取引の手数料の公平性を保つことができる両替機を提供すること。【解決手段】両替取引における、入金される紙幣と出金される紙幣との金種が重複している場合に、当該重複している金種の当該重複分の紙幣の枚数を、出金される貨幣の枚数から差し引いた枚数が、課金対象枚数として算出される。【効果】両替機における両替取引の手数料ルールを、金融機関の窓口における両替ルールに近づけることができる。これにより、金融機関の利用者に対し、両替機の利用を促すことができる。【選択図】図７
2013012136.tif 000002
【特許請求の範囲】
【請求項１】
入金口と、前記入金口に入金される貨幣を、指定された金種の貨幣に両替する両替取引を実行する両替取引実行手段とを含む両替機であって、
前記入金口に入金される貨幣の種類を識別する識別手段と、
金融機関の窓口で両替する場合の両替ルールに対応した手数料ルールを記憶する手数料ルール記憶手段と、
前記識別手段が識別した貨幣の種類、および前記手数料ルール記憶手段に記憶されている手数料ルールに基づいて、前記両替取引のための手数料を算出する手数料算出手段と、
前記手数料算出手段が算出した前記手数料を利用者に対して要求する手数料要求手段とを含むことを特徴とする両替機。
【請求項２】
前記識別手段は、貨幣の金種を識別し、
前記手数料ルール記憶手段に記憶されている前記手数料ルールは、前記両替取引における入金貨幣と出金貨幣との金種が重複している場合に、当該重複している金種の当該重複分の貨幣の枚数を、前記両替取引における出金貨幣の枚数から差し引いた枚数に応じて、前記手数料を規定していることを特徴とする請求項１記載の両替機。
【請求項３】
前記識別手段は、貨幣の正損を識別し、
前記手数料ルール記憶手段に記憶されている前記手数料ルールは、前記両替取引における出金貨幣の枚数から、前記重複している金種の貨幣に含まれる、前記識別手段によって識別された損貨の枚数を差し引いた枚数に応じて、前記手数料を規定していることを特徴とする請求項２記載の両替機。
【請求項４】
前記識別手段は、貨幣の正損を識別し、
前記手数料ルール記憶手段に記憶されている前記手数料ルールは、前記両替取引における出金貨幣の枚数から前記識別手段によって識別された損貨の枚数を差し引いた枚数に応じて、前記手数料を規定していることを特徴とする請求項１記載の両替機。
【請求項５】
前記識別手段は、貨幣の金種を識別し、
前記手数料ルール記憶手段に記憶されている前記手数料ルールは、前記両替取引における入金貨幣の金種と、前記両替取引における出金貨幣に含まれる新券の金種とが重複している場合に、当該重複している金種の当該重複分の新券の枚数を、前記両替取引における出金貨幣の枚数から差し引いた枚数に応じて、前記手数料を規定していることを特徴とする請求項１記載の両替機。
【発明の詳細な説明】
【技術分野】
【０００１】
この発明は、両替取引を実行するための両替機に関し、とくに両替取引に要する手数料を徴収可能な両替機に関する。
【背景技術】
【０００２】
従来から、銀行等の金融機関には、高額の紙幣を小額紙幣や硬貨に両替する両替機が設置されている。これにより、両替取引を行う利用者の利便性を向上させるとともに、金融機関の窓口業務にかかる手間を低減している。
近年では、両替取引に所定の手数料を徴収する両替機が増えている。たとえば特許文献には、両替取引のための手数料の額として、両替取引における出金貨幣の枚数に応じて手数料を算出するいわゆる従量制の手数料が採用された両替機が提案されている。
【先行技術文献】
【特許文献】
【０００３】
【特許文献１】特開２００７−１９３７１６号公報
【発明の概要】
【発明が解決しようとする課題】
【０００４】
ところで、金融機関の窓口では、同一金種の紙幣を両替する場合には手数料を徴収しない運用にしている金融機関がある。
しかしながら、通常、両替機の手数料ルールは、金融機関の窓口で両替をする場合の両替ルールには対応していない。そのため、両替機では、同一金種の両替取引に対しても手数料を課金している。そのため、多くの金融機関において、窓口で両替取引する場合と両替機を用いて両替取引する場合とで、手数料に関する不公平が生じていた。
【０００５】
この発明は、このような背景の下でなされたものであり、金融機関の窓口における両替取引との間で、両替機による両替取引の手数料の公平性を保つことができる両替機を提供することを目的とする。
【課題を解決するための手段】
【０００６】
請求項１記載の発明は、入金口と、前記入金口に入金される貨幣を、指定された金種の貨幣に両替する両替取引を実行する両替取引実行手段とを含む両替機であって、前記入金口に入金される貨幣の種類を識別する識別手段と、金融機関の窓口で両替する場合の両替ルールに対応した手数料ルールを記憶する手数料ルール記憶手段と、前記識別手段が識別した貨幣の種類、および前記手数料ルール記憶手段に記憶されている手数料ルールに基づいて、前記両替取引のための手数料を算出する手数料算出手段と、前記手数料算出手段が算出した前記手数料を利用者に対して要求する手数料要求手段とを含むことを特徴とする両替機である。
【０００７】
請求項２記載の発明は、前記識別手段は、貨幣の金種を識別し、前記手数料ルール記憶手段に記憶されている前記手数料ルールは、前記両替取引における入金貨幣と出金貨幣との金種が重複している場合に、当該重複している金種の当該重複分の貨幣の枚数を、前記両替取引における出金貨幣の枚数から差し引いた枚数に応じて、前記手数料を規定していることを特徴とする請求項１記載の両替機である。
【０００８】
請求項３記載の発明は、前記識別手段は、貨幣の正損を識別し、前記手数料ルール記憶手段に記憶されている前記手数料ルールは、前記両替取引における出金貨幣の枚数から、前記重複している金種の貨幣に含まれる、前記識別手段によって識別された損貨の枚数を差し引いた枚数に応じて、前記手数料を規定していることを特徴とする請求項２記載の両替機である。この明細書において「損貨」とは破損した貨幣のことをいい、損券や損硬貨を含む趣旨である。また、「損券」とは、皺や汚れが激しかったり、破れていたりして、市場で流通させるのに適さない紙幣である。さらに、「損硬貨」とは、汚れが激しかったり、変形したりして、市場で流通させるのに適さない硬貨である。
【０００９】
請求項４記載の発明は、前記識別手段は、貨幣の正損を識別し、前記手数料ルール記憶手段に記憶されている前記手数料ルールは、前記両替取引における出金貨幣の枚数から前記識別手段によって識別された損貨の枚数を差し引いた枚数に応じて、前記手数料を規定していることを特徴とする請求項１記載の両替機である。
請求項５記載の発明は、前記識別手段は、貨幣の金種を識別し、前記手数料ルール記憶手段に記憶されている前記手数料ルールは、前記両替取引における入金貨幣の金種と、前記両替取引における出金貨幣に含まれる新券の金種とが重複している場合に、当該重複している金種の当該重複分の新券の枚数を、前記両替取引における出金貨幣の枚数から差し引いた枚数に応じて、前記手数料を規定していることを特徴とする請求項１記載の両替機である。
【発明の効果】
【００１０】
請求項１記載の構成によれば、金融機関の窓口で両替する場合の両替ルールに対応した手数料ルールと、入金口に入金された紙幣の種類とに基づいて、両替取引のための手数料が算出される。そのため、両替機における両替取引を、金融機関の窓口における両替取引の場合と同等の手数料で行うことができる。したがって、両替機の両替取引と、金融機関の窓口における両替取引との間で、両替取引の手数料の公平性を保つことができ、これにより、金融機関の利用者に対し、両替機の利用を促すことができる。
【００１１】
請求項２記載の構成によれば、両替取引における入金貨幣と出金貨幣との金種が重複している場合には、当該重複している金種の当該重複分の貨幣の枚数を、両替取引における出金貨幣の枚数から差し引いた枚数に応じて、手数料が算出される。そのため、両替機における両替取引の手数料ルールを、金融機関の窓口における両替ルールにより一層近づけることができる。
【００１２】
請求項３記載の構成によれば、両替取引における出金貨幣の枚数から、出入金間で重複している金種の貨幣に含まれる損貨の枚数を差し引いた枚数に応じて、手数料が算出される。そのため、両替機における両替取引の手数料ルールを、金融機関の窓口における両替ルールにさらに近づけることができる。
請求項４記載の構成によれば、両替取引における出金貨幣の枚数から損貨の枚数を差し引いた枚数に応じて、手数料が算出される。そのため、両替機における両替取引の手数料ルールを、金融機関の窓口における両替ルールにより一層近づけることができる。
【００１３】
請求項５記載の構成によれば、両替取引における入金貨幣と、両替取引における出金貨幣に含まれる新券の券種とが重複している場合には、当該重複している金種の当該重複分の新券の枚数を、両替取引における出金貨幣の枚数から差し引いた枚数に応じて、手数料が算出される。そのため、両替機における両替取引の手数料ルールを、金融機関の窓口における両替ルールにより一層近づけることができる。
【図面の簡単な説明】
【００１４】
【図１】この発明の一実施形態に係る両替機を正面側から見た斜視図である。
【図２】図１に示す両替機の電気的構成を示すブロック図である。
【図３】図２に示す本体記憶部に記憶された両替取引内容記憶テーブルの内容を示す図である。
【図４】図２に示す本体記憶部に記憶された手数料決定テーブルの内容を示す図である。
【図５】図１に示す表示操作部に表示される両替内容選択画面の一例を示す図である。
【図６】図１に示す両替機の両替取引処理の流れを示すフローチャートである。
【図７】図６に示す手数料算出処理の流れを示すフローチャートである。
【図８】図１に示す表示操作部に表示される両替内容確認画面の一例を示す図である。
【発明を実施するための形態】
【００１５】
以下には、図面を参照して、この発明の実施形態について具体的に説明する。
図１は、この発明の一実施形態に係る両替機１を正面側から見た斜視図である。
この実施形態では、図１に示す両替機１は、銀行等の金融機関に設置されている。両替機１では、両替される貨幣が入金され、利用者によって指定された金種の貨幣が両替機１から出金される。そのため、両替をしたい顧客は、その金融機関の窓口で両替を行うこともできるし、また、両替機を用いて両替を行うこともできる。
【００１６】
両替機１は、中空の筐体構造の本体部２を備えている。
本体部２では、その前側（正面側）上部がＬ字状に切り欠かれている。そのため、本体部２の前面は、その上端側に向かうに従って後側へ少し傾斜して延びる傾斜面３と、傾斜面３の下端から前側へ略水平に延びる水平面４と、水平面４の前端から下方へ略垂直に延びる垂直面５とを含んでいる。
【００１７】
傾斜面３では、その幅方向略中央位置に、表示操作部６が設けられている。表示操作部６は、幅広の矩形状をなす液晶の表示画面と、表示画面の表面を覆うように表示画面の上（表面）に積層された透明なタッチパネルとを有するタッチパネルディスプレイを備えている。この表示操作部６には、後述する両替内容選択画面３９（図５参照。）および両替内容確認画面５５（図８参照。）などの画面や、ガイダンス等が表示されるようになっている。
【００１８】
表示操作部６の下隣には、利用者に両替明細（レシート）を発行するためのレシート発行口７と、利用者のカード等を出し入れするためのカード取扱口８とが左右に並んで設けられている。傾斜面３では、表示操作部６の右隣に、両替機１が両替機であることを示す「両替」という識別表示が付されており、表示操作部６と「両替」の識別表示との間には、防犯用のカメラ９が埋め込まれている。傾斜面３には、カメラ９の下隣に、バラ硬貨を投入したり受け取ったりするための硬貨取扱口１０が設けられている。硬貨取扱口１０の下隣には、金融機関の係員を呼び出すための呼出スイッチ１１と、両替機１のメンテナンス等のために係員によって鍵が差し込まれる鍵穴１２とが、左右に並んで設けられている。硬貨取扱口１０は、バラ硬貨を投入したり受け取ったりするとき以外では、シャッタ１３によって閉塞されている。
【００１９】
水平面４には、所定枚数（たとえば５０枚。）毎にまとまった状態で包装された硬貨（以下、「包装硬貨」という。）を受け取るための包装硬貨取扱口１４と、紙幣を投入したり受け取ったりするための紙幣取扱口（出金口）１５とが左右に並んで設けられている。包装硬貨取扱口１４は、包装硬貨を受け取るとき以外では、シャッタ１６によって閉塞されている。紙幣取扱口１５は、紙幣を投入したり受け取ったりするとき以外では、シャッタ１７によって閉塞されている。水平面４と傾斜面３との接続部分において包装硬貨取扱口１４および紙幣取扱口１５のそれぞれの近傍に位置する２箇所には、確認用ミラー１８（ハッチングを付した部分。）が１つずつ設けられている。各確認用ミラー１８は、上向きに延びつつ正面側へ傾斜している。包装硬貨取扱口１４および紙幣取扱口１５のそれぞれが開放された状態において、各取扱口に対応する確認用ミラー１８によって取扱口１４，１５の内部を視認できるので、包装硬貨や紙幣の取り忘れを防止できる。
【００２０】
垂直面５の上端部の幅方向略中央には、両替機１の前に人がいるか否かを検知するための人感センサ１９が設けられている。垂直面５において人感センサ１９より下側の部分のほぼ全域は、正面側へ一段張り出している。この張り出した部分の上端部には、両替のための手数料（硬貨。）を投入するための投入口２０と、投入口２０に投入した手数料を返却するために操作される返却レバー２１とが設けられている。張り出した部分の正面には、投入した手数料（お釣りも含む。）が返却される硬貨返却口２２と、投入口２０に硬貨以外の異物が投入された場合の当該異物が返却される異物返却口２３とが設けられている。
【００２１】
図２は、両替機１の電気的構成を示すブロック図である。
本体部２は、たとえばマイクロコンピュータによって構成された制御部２５を備えている。制御部２５には、本体部２に含まれる各構成、たとえば本体記憶部２６、表示操作部６（図１を併せて参照。）、係員操作部２７、硬貨入金部２８、カードリーダ部２９、レシート発行部３０等が接続されている。また、制御部２５には、ＵＳＢハブなどのハブを介して本体部２に外付けされた各構成、たとえば紙幣入出金部（両替取引実行手段）３１、包装硬貨出金部３２、バラ硬貨出金部３３等が接続されている。
【００２２】
本体記憶部２６は不揮発性メモリやハードディスクドライブといった記憶デバイスによって構成されている。この本体記憶部２６は、両替機１における両替取引処理に関する種々のデータテーブルを記憶している。具体的には、本体記憶部２６には、たとえば両替取引内容記憶テーブル３５（図３参照。）や手数料決定テーブル３８（図４参照。）が記憶されている。
【００２３】
係員操作部２７は、金融機関の係員が操作するための操作部であり、たとえば本体部２の背面側に設けられている。係員操作部２７は、通常は背面カバー（図示しない。）によって覆われており、背面カバーを取り外した状態で係員操作部２７が露出するようになっている。なお、係員操作部２７の構成は省略されていてもよい。
硬貨入金部２８は、バラ硬貨を金種毎に収納するための複数のバラ硬貨収納部（図示しない。）に、硬貨取扱口１０に投入されたバラ硬貨を搬送するための硬貨搬送機構を備えている。バラ硬貨収納部は本体部２内に収容されている。
【００２４】
カードリーダ部２９は、本体部２に、その前面から少し後方寄りの位置に内蔵されている。カード取扱口８に入れられた利用者のカードから、カードリーダ部２９はカードＩＤが読み取る。このカードは両替処理後にカード取扱口８から排出され、利用者に返却される。
レシート発行部３０は、両替取引の明細や手数料を記録用紙に印字し、それをレシートとして発行する。レシート発行部３０から発行されたレシートは、レシート発行口７から本体部２の前方に向けて出力される。
【００２５】
紙幣入出金部３１は、紙幣搬送機構（図示しない。）と、識別部（識別手段）３４とを備えている。紙幣搬送機構は、本体部２に収容された複数個（たとえば９つ。）の紙幣の収納庫（図示しない。）と紙幣取扱口１５との間で紙幣を搬送する。９つの収納庫のうち、８つの収納庫が出金庫として本体部２に収容されており、残り１つの収納庫が入金庫として本体部２に収容されている。８つの収納庫は、たとえば、新券の１万円札、新券の５千円札、新券の２千円札、新券の千円札、流通券の１万円札、流通券の５千円札、流通券の２千円札、および流通券の千円札に応じて区別されている。換言すると、８つの収納庫は、新券および流通券の別ならびに紙幣の金種の双方に対応して紙幣を収納している。入金庫は、入金された紙幣を全て収納する。なお、この明細書において、新券とは、折り目や皺や汚れのない綺麗な紙幣であり、流通券とは、既に市場に出回っている紙幣である。
【００２６】
紙幣搬送機構は、紙幣取扱口１５に入金された紙幣を搬送路（図示しない。）を経由して各収納庫に１枚ずつ搬送させるとともに、各収納庫に収納されている紙幣を搬送路を経由して紙幣取扱口１５まで１枚ずつ搬送させ、紙幣取扱口１５から紙幣を排出して出金させる。識別部３４は、搬送路の途中部に配設されていて、搬送路を搬送させられる紙幣の種類、具体的には、紙幣の金種、正損、真偽等を識別する。
【００２７】
なお、収納庫として、紙幣を専ら収納する収容庫のほかに、一時保留部として機能する収納庫を設けることもできる。このような一時保留部を設ける場合には、紙幣取扱口１５に入金された紙幣は搬送路を経由して一時保留部まで搬送され、この一時保留部で一時保留される。その後、一時保留部に保留されている紙幣が、入金庫に収納される。一時保留部から入金庫への収納は、たとえば、出金処理（後述する図６で示すステップＳ１１。）の実行が終った後に行われるようになっている。
【００２８】
包装硬貨出金部３２は、包装硬貨を金種毎に収納するための複数の包装硬貨収納部（図示しない。）のそれぞれから送られる包装硬貨を包装硬貨取扱口１４に投出するための包装硬貨投出部（図示しない。）を備えている。包装硬貨収納部は本体部２内に収容されている。
バラ硬貨出金部３３は、各バラ硬貨収納部から送られるバラ硬貨をバラ硬貨取扱口１０に投出するためのバラ硬貨投出部（図示しない。）を備えている。
【００２９】
図３は、両替取引内容記憶テーブル３５の内容を示す図である。
両替取引内容記憶テーブル３５には、両替取引において入金された貨幣のデータ（以下、「入金データ」という。）を管理するための入金データテーブル３６と、その両替取引において出金される貨幣のデータ（両替を希望する貨幣のデータ。）を管理するための出金データテーブル３７とが設けられている。また、この実施形態の両替機１は、当該両替機１に対し、紙幣での入金のみを許容された両替機を例に挙げて説明している。そのため、図３の両替取引内容記憶テーブル３５の入金データテーブル３６は、紙幣用の入金データを専ら管理している。
【００３０】
むろん、両替機１を、紙幣および硬貨の双方の入金が許容された両替機とすることは可能である。この場合は、図３の両替取引内容記憶テーブル３５の入金データテーブル３６は、紙幣用の入金データだけでなく、硬貨用の入金データを管理させておくことができる。
入金データテーブル３６は、両替取引において入金された紙幣の枚数を、金種毎に区分けして記憶している。具体的には、金種毎の紙幣の枚数は、正券の枚数、損券の枚数、およびそれらの合計枚数にそれぞれ区分けされた状態で記憶されている。
【００３１】
出金データテーブル３７は、両替取引において出金される貨幣の枚数を、金種毎に記憶している。また、出金データテーブル３７は、出金される貨幣のうち、両替取引のための手数料の対象になる貨幣の枚数（以下、「課金対象枚数」という。）を、金種毎に記憶している。この出金データテーブル３７では、出金される紙幣の枚数および課金対象枚数を、その金種ならびに新券および流通券ごとに区分けして記憶している。また、出金データテーブル３７では、出金される硬貨の枚数および課金対象枚数を、その金種ならびに包装硬貨およびバラ硬貨の別ごとに区分けして記憶している。
【００３２】
また、出金データテーブル３７に新券の１万円札（図３に示す新万。）に対応して記憶されている課金対象枚数「Ｘａ」は、新券の１万円札の出金枚数「ａ」から、入金データにおける１万円札の枚数（正券と損券との合計枚数。）「Ａ」を差し引いた枚数（重複分の１万円札の枚数）、すなわち「ａ−Ａ」になる。また、出金データテーブル３７に新券の５千円札（図３に示す新５千。）に対応して記憶されている課金対象枚数「Ｘｂ」は、新券の５千円札の出金枚数「ｂ」から、入金データにおける５千円札の枚数（正券と損券との合計枚数。）「Ｂ」を差し引いた枚数（重複分の５千円札の枚数）、すなわち「ｂ−Ｂ」になる。
【００３３】
さらに、出金データテーブル３７に新券の２千円札（図３に示す新２千。）に対応して記憶されている課金対象枚数「Ｘｃ」は、新券の２千円札の出金枚数「ｃ」から、入金データにおける２千円札の枚数（正券と損券との合計枚数。）「Ｃ」を差し引いた枚数（重複分の２千円札）、すなわち「ｃ−Ｃ」になる。さらにまた、出金データテーブル３７に千円札（図３に示す新千。）に対応して記憶されている課金対象枚数「Ｘｄ」は、新券の千円札の出金枚数「ｄ」から、入金データにおける千円札の枚数（正券と損券との合計枚数。）「Ｄ」を差し引いた枚数（重複分の千円札）、すなわち「ｄ−Ｄ」になる。
【００３４】
また、出金データテーブル３７では、流通券の紙幣および硬貨には、課金対象枚数は、当該紙幣の出金枚数がそのまま援用されている（図３に示すｅ〜ｐ。）。
この両替機１の手数料の額は、従量制が採用されている。そして、この両替機１では、出金枚数の全てを基準として手数料の額が算出されるのではなく、課金対象枚数を基準として手数料の額が算出される。なお、手数料の算定に関して、１本の包装硬貨は１本としてカウントするのではなく、この１本の硬貨に含まれるバラ硬貨の枚数（たとえば５０枚。）としてカウントする。
【００３５】
図４は、手数料決定テーブル３８の内容を示す図である。
手数料決定テーブル３８には、手数料が、貨幣の課金対象枚数に対応付けて記憶されている。たとえば、全体の課金対象枚数がα（たとえば５０。）枚以下であるときに手数料が無料である。また、全体の課金対象枚数がα枚を超えβ（たとえば５００。）枚以下であるときは、手数料がＳ円（たとえば３００円。）であり、全体の課金対象枚数がβ枚を超えるときは、手数料がＴ円（たとえば８００円。）である。
【００３６】
なお、手数料が課金対象枚数に対応して３段階に設定されているものに限られず、手数料が課金対象枚数に対応して２段階に設定されていてもよいし、４段階以上に設定されているものであってもよい。さらに、手数料が課金対象枚数の増加に比例して増加するものであってもよい。
また、貨幣の課金対象枚数が少数である場合に、手数料を無料にせず、小額の手数料を徴収するようにしてもよい。
【００３７】
この実施形態では、両替取引内容記憶テーブル３５（出金データテーブル３７。）と、手数料決定テーブル３８とによって、手数料ルール記憶手段が構成されている。
金融機関の窓口では、同一金種（重複する金種。）の紙幣を両替する場合に手数料を徴収しない運用が通常行われている。手数料ルール記憶手段に記憶される手数料ルールは、これら金融機関の窓口で両替する場合の両替ルールに対応している。
【００３８】
図５は、表示操作部６に表示される表示内容の一つである両替内容選択画面３９の一例を示す図である。この両替内容選択画面３９は、両替を希望する貨幣の金種および枚数（包装硬貨である場合は、その包装硬貨の本数。）を選択するための操作画面である。
表示操作部６の表示画面沿いの上端部には、左右方向に細長いガイダンス表示領域４０が設けられている。ガイダンス表示領域４０には、たとえば「ご希望の金種を選択してください  金種選択が終了しましたら［選択終了］を押してください」という案内文が表示されている。
【００３９】
表示操作部６において、ガイダンス表示領域４０の下隣の位置には、横長の矩形状をなす両替内容表示領域４１が設けられている。ガイダンス表示領域４０では、両替金額表示領域４２、両替枚数表示部４３および手数料額表示部４４が左からこの順番で横一列に並んでいる。両替金額表示領域４２には、その左部分に「入金額」という見出しが、その右部分には「残金額」という見出しが表示される。「入金額」の見出しの右隣には、前述したバラ硬貨取扱口１０や紙幣取扱口１５に投入（入金）された貨幣の入金額（図５では、１５０，０００円。）が表示される。「残金額」の見出しの右隣には、両替内容選択画面３９で現在選択されている両替の合計金額を、入金額から差し引いた貨幣の総額（図５は入金額が１，０００円の状態を示しているので、残金額は１４９，０００円。）が表示される。
【００４０】
両替枚数表示部４３では「両替枚数」という見出しの右隣に、両替内容選択画面３９で現在選択されている両替内容に従って両替後の貨幣の合計枚数（図５では１枚。）が表示される。手数料額表示部４４では、「手数料額」という見出しの右隣に、手数料の額（図５では０円。）が表示される。
表示操作部６において、両替内容表示領域４１の下方には両替内容選択領域４５が設けられている。両替内容選択領域４５は、表示操作部６において両替内容表示領域４１より下方の領域のほぼ全域に亘る大きさを有しており、やや幅広の略矩形状をなす領域である。
【００４１】
両替内容選択領域４５には、貨幣の金種ごとに区分けされた複数（図５ではたとえば９つ。）の個別選択領域４６が、その金種の金額が大きな順に、上から下に並んで表示されている。各個別選択領域４６Ａ〜４６Ｉは、横長の矩形状をなす領域である。
９つの個別選択領域４６Ａ〜４６Ｉのうち、上の４つの個別選択領域４６Ａ〜４６Ｄが紙幣用の個別選択領域であり、残りの５つの個別選択領域４６Ｅ〜４６Ｉが硬貨用の個別選択領域である。紙幣用の個別選択領域４６Ａ〜４６Ｄとして、１万円札用、５千円札用、２千円札用および千円札用の個別選択領域が設けられている。硬貨用の個別選択領域４６Ｅ〜４６Ｉとして、５００円玉用、１００円玉用、５０円玉用、１０円玉用、ならびに５円玉および１円玉用の個別選択領域が設けられている。
【００４２】
各個別選択領域４６Ａ〜４６Ｉにおける表示について、５千円札用の個別選択領域４６Ｂを例に挙げて説明する。
個別選択領域４６Ｂの左端部には、その個別選択領域４６Ｂで選択した金種毎の紙幣の合計額を表示する金種毎合計額表示部４８が設けられている。金種毎合計額表示部４８の右側には、その金種の紙幣（たとえば５千円札紙幣。）を模した画像が横方向に複数（図５の個別選択領域４６Ｂでは、たとえば６つ。）表示される。各画像の中には、その金種での両替を希望する紙幣の枚数（図５では、１枚、２枚または５枚。）と、両替を希望する紙幣の新券（図５において「新札」と表示。）および流通券（図５において、「新札」との表示なし。）の別と、その金種の紙幣を、選択済みの枚数分両替したときの合計金額（図５では、５，０００円、１０，０００円、２５，０００円。）とが記載されている。
【００４３】
ここで、各画像およびその画像に含まれる部分を、金種・枚数選択ボタンといい、この金種・枚数選択ボタンを操作することにより、両替を希望する金種およびその枚数を選択することができるようになっている。
なお、１万円札への両替を希望する場合には、ほとんどの場合利用者は新券交換を希望しているので、１万円札用の金種・枚数選択ボタンとしては新券両替用の金種・枚数選択ボタンしか用意していない。また、２千円札を広く流通させる必要性から、２千万円札用の金種・枚数選択ボタンとしては新券両替用の金種・枚数選択ボタンしか用意していない。
【００４４】
硬貨用の個別選択領域４６Ｅ〜４６Ｉでは、金種・枚数選択ボタンには両替枚数でなく、包装硬貨の本数が表示されている。なお、５００円玉用および１００円玉用の個別選択領域４６Ｅ，４６Ｆには、硬貨（バラ硬貨）の枚数が表示された金種・枚数選択ボタン、および包装硬貨の本数が表示された金種・枚数選択ボタンの双方が用意されている。なお、バラ硬貨の枚数が表示される金種・枚数選択ボタンには、その金種の複数枚のバラ硬貨を模した画像が採用される。また、包装硬貨の本数が表示される金種・枚数選択ボタンには、その金種の包装硬貨を模した画像が採用される。
【００４５】
表示操作部６の表示画面沿いの下端部には、全訂正ボタン４９、追加両替ボタン５０および選択終了ボタン５１が横一列に並んで設けられている。
全訂正ボタン４９を押すと、今まで選択していた金種および枚数の選択がキャンセルされ、これに応じて、全ての金種毎合計額表示部４８の金額表示がゼロになる。
追加両替ボタン５０を押すと、シャッタ１７が開かれて紙幣取扱口１５が開放する。また、表示操作部６の表示が入金を促すガイダンスに切り換わる。
【００４６】
両替内容が選択された状態で選択終了ボタン５１を押すと、表示操作部６の表示が後述する両替内容確認画面５５（図８参照。）に切り換わる。
図６は、両替機１の両替取引処理の流れを示すフローチャートである。以下では、紙幣を両替する場合を例に挙げて説明する。
両替機１の待機状態では、表示操作部６に待機画面が表示される。待機画面にはたとえば両替取引開始ボタンが設けられており、また、待機画面には、両替取引開始ボタンの操作を促すためのガイダンス（図示しない。）が表示されている。利用者によって取引開始ボタンが操作されると、表示操作部６が図５に示す両替内容選択画面３９に切り換わるとともに、シャッタ１７が開かれて（ステップＳ１）紙幣取扱口１５が開放する。これにより、両替取引処理が開始される。
【００４７】
なお、両替取引処理の開始に先立って、カード投入口８に対して、両替機１が設置された金融機関のカードの投入が要求され、そのカードからカードリーダ部２９によって読み取られたカードＩＤの照合結果に基づいて両替取引の可否が判断されるようになっていてもよい。
紙幣取扱口１５が開放すると、利用者は、両替したい自分の紙幣を紙幣取扱口１５に投入する。そして、紙幣取扱口１５に対する紙幣の投入から所定時間が経過した後に（ステップＳ２でＹＥＳ。）シャッタ１７が閉じられて（ステップＳ３）、紙幣取扱口１５が閉塞される。なお、紙幣取扱口１５に対する紙幣の投入後に、表示操作部６の計数開始ボタン（図示しない。）が利用者によって操作されることにより、シャッタ１７が閉じられるようになっていてもよい。
【００４８】
シャッタ１７が閉じられた後は、制御部２５は、紙幣入出金部３１の紙幣搬送機構を駆動し、紙幣取扱口１５に投入された紙幣を、入金庫に１枚ずつ搬送させる。また、これらの入金された紙幣は、紙幣搬送機構により搬送させられる途中で、識別部３４によって金種、正損、真偽等が識別される（ステップＳ４）。この識別部３４による識別に基づいて入金された紙幣の正損の枚数が金種ごとに計数される（ステップＳ４）。
【００４９】
そして、紙幣取扱口１５に投入された紙幣が全て入金庫に収納されて、紙幣取扱口１５から紙幣がなくなると（ステップＳ５でＹＥＳ。）、その時点での計数結果、すなわち正券の枚数、損券の枚数および正券と損券とを足し合わせた紙幣の枚数が、前述のように両替取引内容記憶テーブル３５の入金データテーブル３６に、金種毎に記憶される（ステップＳ６）。
【００５０】
次いで、両替内容選択画面３９（図５参照。）で両替を希望する金種および枚数を利用者が選択した後、選択終了ボタン５１を操作する（ステップＳ７でＹＥＳ。）、両替内容選択画面３９によって設定された設定内容に基づいて出金パターンが作成される（ステップＳ８）。すなわち、それまで両替機１の作業用の記憶部に記憶されていた枚数情報データ（図３に示す「ａ〜ｐ」。）が、本体記憶部２６に記憶され、出金データテーブル３７（図３参照。）に格納される。
【００５１】
次いで、手数料の額が算出される（ステップＳ９）。
図７は、ステップＳ９に示す手数料算出処理の流れを示すフローチャートである。
手数料算出処理では、入金データテーブル３６の記憶内容（図７に示す入金計数結果。）が読み出される。そして、出金データテーブル３７に記憶されている紙幣の金種（図７に示す出金パターン。）と、入金データテーブル３６に記憶されている紙幣の金種（図７に示す入金内訳）とが重複している（同一金種である）場合に（ステップＳ２２でＹＥＳ。）、その重複対象の金種として出金データテーブル３６に記憶されている紙幣の枚数を、出金データテーブル３７に記憶されている貨幣の枚数（出金される貨幣の枚数。）から差し引いた枚数を課金対象枚数とする。
【００５２】
なお、この実施形態では、前述のように、課金対象枚数を図３に示す出金データテーブル３７に記憶している。このとき、全体の課金対象枚数は、出金データテーブル３７に課金対象枚数として記憶されている枚数の総数「ＳＵＭ（ｅ〜ｐ）＋Ｘａ＋Ｘｂ＋Ｘｃ＋Ｘｄ」（図３参照。）であるとする。なお、ＳＵＭ（ｅ〜ｐ）とは、ｅ〜ｐの各値を足し合わせたものである。
【００５３】
そして、制御部２５は、手数料決定テーブル３８を参照して、全体の課金対象枚数（すなわち、出金データテーブル３７の課金対象枚数の全て）に対応する手数料を算出する（ステップＳ２４）。
また、図６に示すように、両替内容確認画面５５において選択終了ボタン５１が操作されると（ステップＳ７でＹＥＳ。）、表示操作部６の表示が次に述べる両替内容確認画面５５に切り換わる（ステップＳ８）。
【００５４】
図８は、表示操作部６に表示される両替内容確認画面５５の一例を示す図である。
この両替内容確認画面５５は、両替内容選択画面３９で選択された両替の内容（両替を希望する貨幣の金種および枚数（包装硬貨である場合は本数。））を確認するための画面である。
表示操作部６の表示画面沿いの上端部には、左右方向に細長いガイダンス表示領域５６が設けられている。ガイダンス表示領域５６には、たとえば「両替内容を確認してください  両替内容がよろしければ［確認］を押してください」という案内文が表示されている。
【００５５】
表示操作部６において、ガイダンス表示領域５６の下方には確認内容表示領域５７が設けられている。確認内容表示領域５７は、表示操作部６においてガイダンス表示領域５６の下方の領域のほぼ全域に亘る大きさを有しており、やや幅広の略矩形状をなす領域である。確認内容表示領域５７の中央部には、両替明細を表示するための両替明細表示部５８が設けられている。
【００５６】
両替明細表示部５８は、たとえばほぼ正方形状をなす領域であり、今回の両替取引において出金する貨幣の枚数を、その貨幣の各金種に対応して表示している。両替明細表示部５８には、両替取引内容記憶テーブル３５の出金データテーブル３７の内容に基づいた表示が行われる。両替明細表示部５８では、出金する紙幣の枚数を、流通券（図８で示す「紙幣」。）の枚数と新券（図８で示す「新札」。）の枚数とに分けて表示している。この両替明細表示部５８では、出金する硬貨の枚数（包装硬貨の場合はその本数。）を、バラ硬貨（図８で示す「硬貨」。）の枚数と包装硬貨の本数とに分けて表示している。また、両替明細表示部５８の下端部には左右方向に細長い合計金額表示部５９が設けられている。合計金額表示部５９には、今回の両替取引で出金する出金額の合計（図８では、１５０，０００円。）が表示される。
【００５７】
確認内容表示領域５７の右下部には、手数料表示領域６０が設けられている。手数料表示領域６０の左側には、「使用手数料額」という見出し、「残手数料額」という見出し、「両替枚数」という見出し、および「おつり」という見出しが上からこの順番で表示される。
「使用手数料額」の見出しの右隣には、図７の手数料算出処理で算出された手数料の額（図８では、８００円。）が表示される。「残手数料額」の見出しの右隣には、両替機１に入金されている手数料（図８では、１２００円。）の額が表示される。「両替枚数」という見出しの右隣には、両替取引によって出金される貨幣の枚数が表示される。「おつり」の見出しの右隣には、残手数料額から使用手数料額を差し引いた金額（図８では、４００円。）が表示される。
【００５８】
表示操作部６の表示画面沿いの下端部には、戻るボタン６１、追加両替ボタン６２および確認ボタン６３が横一列に並んで設けられている。
戻るボタン６１を押すと、表示操作部６の表示が両替内容選択画面３９（図５参照。）に切り換わる。
追加両替ボタン６２を押すと、シャッタ１７（図１参照。）が開かれて紙幣取扱口１５（図１参照。）が開放する。また、表示操作部６の表示が入金を促すガイダンスに切り換わる。
【００５９】
確認ボタン６３は、手数料の徴収が終了することを条件として両替内容確認画面５５に表示される。なお、図８の場合は、カードの投入により、カードに対応付けられている金額が両替機１に既に前金（図８では、１２００円。）として入金されている。
カードが投入されていない場合には、手数料（図８では、８００円。）が投入口２０に投入されるまで、確認ボタン６３は表示されない。また、カードが投入されていても、そのカードに対応付けられている金額が手数料に足らない場合には、その不足分の手数料が投入口２０（図１参照。）に投入されるまで、確認ボタン６３は表示されない。
【００６０】
図６に戻り、手数料の徴収が完了した状態で（ステップＳ１０）、確認ボタン６３が操作されると、出金処理が実行される（ステップＳ１１）。具体的には、出金処理では、制御部２５は、紙幣入出金部３１の紙幣搬送機構を制御して、出金すべき紙幣に対応する収納庫から紙幣を搬送し、紙幣取扱口１５に紙幣を排出して出金させる。また、制御部２５は、包装硬貨出金部３２の包装硬貨投出部を制御して、出金すべき包装硬貨に対応する包装硬貨収納部から包装硬貨を搬送し、包装硬貨取扱口１４に包装硬貨を排出して出金させる。さらに、制御部２５は、バラ硬貨出金部３３のバラ硬貨投出部を制御して、出金すべきバラ硬貨に対応するバラ硬貨収納部からバラ硬貨を搬送し、バラ硬貨取扱口１０にバラ硬貨を排出して出金させる。
【００６１】
出金処理が完了すると（ステップＳ１２でＹＥＳ。）シャッタ１７が開かれて（ステップＳ１３）、紙幣取扱口１５が開放する。また、シャッタ１３が開かれて（ステップＳ１３）、バラ硬貨取扱口１０が開放し、シャッタ１６が開かれて（ステップＳ１３）、包装硬貨取扱口１４が開放する。これにより、取扱口１０，１４，１５からの貨幣の取出しが可能になる。
【００６２】
また、取扱口１０，１４，１５から貨幣が取り出されると、レシート発行口７（図１参照。）から発行されるとともに、おつり（たとえば、４００円。）が硬貨返却口２２（図１参照。）から排出される。レシートには、図８の両替内容確認画面５５の両替明細表示部５８の両替明細と同内容の両替明細や、手数料が印字されている。
これにより、一連の両替取引処理が終了する。なお、利用者の選択によりまたは両替機１の設定により、レシートの発行動作を省略させることも可能である。
【００６３】
なお、両替取引の開始に先立って、カード投入口８にカードが投入されている場合には、両替取引の終了時に、そのカードがカード投入口８から返却される。
以上によりこの実施形態によれば、両替取引における入金紙幣と出金紙幣との金種が重複している場合に、その重複分の紙幣の枚数を、両替取引の出金貨幣の枚数から差し引いた枚数に応じて、手数料が算出される。そのため、両替機１における両替取引の手数料ルールを、金融機関の窓口における両替ルールに近づけることができる。そのため、両替機１における両替取引を、金融機関の窓口における両替取引の場合と同等の手数料で行うことができる。したがって、両替機１の両替取引と、金融機関の窓口における両替取引との間で、両替取引の手数料の公平性を保つことができ、これにより、金融機関の利用者に対し、両替機１の利用を促すことができる。
【００６４】
以上、この発明の一実施形態について説明したが、この発明は他の形態で実施することもできる。
たとえば、課金対象枚数を、両替取引の出金貨幣の枚数から、識別部３４によって検出された損券の枚数を差し引いた枚数とすることもできる。
具体的には、出金データテーブル３７（図３参照。）に１万円札に対応して記憶されている課金対象枚数「Ｘａ」は、新券の１万円札の出金枚数「ａ」から、入金データにおける１万円札の損券の枚数「Ａ２」を差し引いた枚数、すなわち、「ａ−Ａ２」になる。また、出金データテーブル３７に５千円札に対応して記憶されている課金対象枚数「Ｘｂ」は、新券の５千円札の出金枚数「ｂ」から、入金データにおける５千円札の損券の枚数「Ｂ２」を差し引いた枚数、すなわち、「ｂ−Ｂ２」になる。
【００６５】
さらに、出金データテーブル３７に２千円札に対応して記憶されている課金対象枚数「Ｘｃ」は、新券の２千円札の出金枚数「ｃ」から、入金データにおける２千円札の損券の枚数「Ｃ２」を差し引いた枚数、すなわち、「ｃ−Ｃ２」になる。さらにまた、出金データテーブル３７に千円札に対応して記憶されている課金対象枚数「Ｘｄ」は、新券の千円札の出金枚数「ｄ」から、入金データにおける千円札の損券の枚数「Ｄ２」を差し引いた枚数、すなわち、「ｄ−Ｄ２」になる。そして、全体の課金対象枚数は、総数「ＳＵＭ（ｅ〜ｐ）＋Ｘａ＋Ｘｂ＋Ｘｃ＋Ｘｄ」になる。
【００６６】
なお、この場合、損券を新券だけ交換する場合に限られず、損券を流通券に交換する場合にも、損券の枚数を差し引いた枚数を、課金対象枚数するようにしてもよい。
また、前述の実施形態では、選択終了ボタン５１（図５参照。）が操作された後に、手数料の額が算出される場合を例に挙げたが、両替内容選択画面３９における両替内容の選択に並行して、手数料の額が算出されるようになっていてもよい。
【００６７】
また、紙幣取扱口１５に、紙幣入金口および紙幣出金口の双方の機能を持たせる場合を例に挙げて説明したが、紙幣入金口と紙幣出金口とを本体部２に互いに分離して設けてもよいのはいうまでもない。
また、本発明の実施形態では、紙幣両替の場合を例に挙げて説明したが、これに限定されるものではなく、硬貨両替にも本発明を適用することができる。具体的には、バラ硬貨出金部に入金機能を設けるとともに、利用者によって入金された硬貨の種類（金種、正損、真偽等）を識別する識別部を設け、同一金種の硬貨両替の場合に、出金される硬貨の枚数から、同一金種の入金硬貨の枚数を差し引いた枚数を課金対象枚数とする。さらに、出金される硬貨の枚数から、同一金種の入金された損硬貨の枚数を差し引いた枚数を課金対象枚数としてもよい。
【００６８】
その他、特許請求の範囲に記載された事項の範囲で種々の設計変更を施すことが可能である。
【符号の説明】
【００６９】
１  両替機
２５  制御部（両替取引実行手段、手数料算出手段、手数料要求手段）
３１  紙幣入出金部（両替取引実行手段）
３４  識別部（識別手段）
３７  出金データテーブル（手数料ルール記憶手段）
３８  手数料決定テーブル（手数料ルール記憶手段）
【図１】
2013012136.tif 000003
【図２】
2013012136.tif 000004
【図３】
2013012136.tif 000005
【図４】
2013012136.tif 000006
【図５】
2013012136.tif 000007
【図６】
2013012136.tif 000008
【図７】
2013012136.tif 000009
【図８】
2013012136.tif 000010